(57)【要約】【課題】圧縮コイルスプリングを収容するスリーブを省略して部品点数を削減することができ、製品コストを飛躍的に低減することができるパネル固定金具を提供する。【解決手段】パネル固定金具３の装着時には、パネル１に形成された収容孔１ａにロックピン４を押し込んだ後に所定角度回転させることにより、圧縮コイルスプリング５の下端を収容孔１ａの底部壁部１ｗに係合させて圧縮コイルスプリング５によりロックピン４の頭部４ａが底部壁部１ｗから離間する方向にロックピン４を付勢させるようにし、係合ピン６が受金具１０の受部１２に形成された孔部を通過した後に受金具１０の下面に形成された突起を乗り越え、係合ピン６が圧縮コイルスプリング５の付勢力により受部１２に係合するとともに、ロックピン４の頭部４ａはパネル１の収容孔１ａ内に収容される。【選択図】図５
2008255768.tif 000002
【特許請求の範囲】
【請求項１】
パネルを基礎上の梁等の固定部に取り付けられた受金具に着脱可能に固定するパネル固定金具において、
上部に頭部を有する軸状のロックピンと、前記ロックピンの上部に装着された圧縮コイルスプリングと、前記ロックピンの下部に設けられ、ロックピンの外周面より外方に突出する係合ピンとからなり、
前記パネル固定金具の装着時には、前記パネルに形成された収容孔に前記ロックピンを押し込んだ後に所定角度回転させることにより、前記圧縮コイルスプリングの下端を前記収容孔の底部壁部に係合させて該圧縮コイルスプリングにより前記ロックピンの頭部が前記底部壁部から離間する方向にロックピンを付勢させるようにし、前記係合ピンが前記受金具の受部に形成された孔部を通過した後に受金具の下面に形成された突起を乗り越え、前記係合ピンが前記圧縮コイルスプリングの付勢力により前記受部に係合するとともに、前記ロックピンの頭部は前記パネルの収容孔内に収容され、
前記パネル固定金具の解除時には、前記ロックピンを押し込んだ後に所定角度回転させることにより、前記係合ピンが前記受金具の受部に形成された突起を乗り越えた後に、前記圧縮コイルスプリングによる付勢力により前記孔部を通過して係合ピンと受部との係合が解除されるとともに、前記ロックピンの頭部は前記パネルの上面に突出することを特徴とするパネル固定金具。
【請求項２】
前記圧縮コイルスプリングの上端部は、前記ロックピンの上部に固定されていることを特徴とする請求項１記載のパネル固定金具。
【請求項３】
前記ロックピンの頭部にはドライバが挿入されるすり割りが形成されていることを特徴とする請求項１又は２記載のパネル固定金具。
【請求項４】
前記ロックピンの上部に孔を形成し、前記圧縮コイルスプリングの上端部を半径方向の内方に折り曲げ、この折り曲げた先端部を前記ロックピンの孔に挿入することにより、前記圧縮コイルスプリングの上端部は、前記ロックピンの上部に固定されていることを特徴とする請求項２記載のパネル固定金具。
【請求項５】
前記ロックピンの上部に環状溝を形成し、前記圧縮コイルスプリングの上端部を半径方向の内方に縮径して縮径部を形成し、この縮径部を前記ロックピンの環状溝に嵌合することにより、前記圧縮コイルスプリングの上端部は、前記ロックピンの上部に固定されていることを特徴とする請求項２記載のパネル固定金具。
【発明の詳細な説明】
【技術分野】
【０００１】
本発明はパネル固定金具に係り、特にクリーンルーム、コンピュータルームあるいは放送関係スタジオ等で好適に使用されている組立式の床を構成するためのパネルを固定するパネル固定金具に関する。
【背景技術】
【０００２】
クリーンルームやコンピュータルームにおいては、所定サイズの多数のパネルを敷設して床を形成する組立式の床が広く用いられている。この組立式の床は、各パネルが着脱可能になっているため、床下にフィルタやダクトあるいは各種付属機器を設置しても容易にメンテナンスができるという利点がある。
【０００３】
図９は組立式の床の一例を示す斜視図である。図９に示すように基礎５１上には、多数の支持脚５２が固定され、これら支持脚５２上に多数の角パイプ２が支持固定されて格子状の梁が形成されている。角パイプ２上には、パネル固定用の受金具６０が固定されており、これら受金具６０上にパネル１が敷設される。図１０は図９のＡ部詳細を示す平面図である。
【０００４】
図１１は、本件出願人が特開２０００−１９３６号公報において提案したパネル固定金具を用いてパネルを固定する状態を示す図であり、図１０のＢ−Ｂ線断面図である。図１０に示すように、相隣接する４枚のパネル１の各隅部１ｃは、１個の受金具６０（破線で示す）に固定されている。図１１に示すように、受金具６０は梁を形成する角パイプ２に固定されている。そして、各パネル１の隅部１ｃはパネル固定金具５３によって受金具６０に固定されている。
【０００５】
図１２はパネル固定金具５３の詳細を示す図であり、図１２（ａ）はパネル固定金具５３の断面図、図１２（ｂ）は図１２（ａ）のＩ矢視図、図１２（ｃ）は図１２（ａ）のＪ矢視図、図１２（ｄ）は図１２（ａ）のＫ矢視図である。図１２（ａ）および図１２（ｂ）に示すように、パネル固定金具５３は、円筒状の筒体部５４ａとこの筒体部５４ａの上端部に形成された頭部５４ｂとを有するスリーブ５４と、このスリーブ５４内に収容された上部に頭部５５ａを有するロックピン５５と、ロックピン５５の頭部５５ａとスリーブ５４の段部５４ｓとの間に介装された圧縮コイルスプリング５６と、ロックピン５５の下端部に設けられた係合ピン５７とから構成されている。ロックピン５５はスリーブ５４内で上下動可能になっているとともにロックピン５５は圧縮コイルスプリング５６によって上方に付勢されるようになっている。またロックピン５５の頭部５５ａには、すり割り５５ｓが形成されている。
【０００６】
図１３は、上述のように構成されたパネル固定金具５３と受金具６０の作動過程を示す図である。図１３（ａ）に示す仮取付状態では、係合ピン５７を有したロックピン５５を収容したスリーブ５４がパネル１の穴１ｈ内に挿入される。スリーブ５４の頭部５４ｂは、パネル１の穴１ｈの周囲に形成された皿もみ状の凹部１ｅに係合する。またロックピン５５の頭部５５ａはスリーブ５４から露出している。
【０００７】
図１３（ｂ）に示す取付状態では、ロックピン５５を下方に押し込み、係合ピン５７を受部６２の長円孔６２ａをくぐらせてから、ロックピン５５を回転させる。これにより、係合ピン５７は、受部６２の２つの突起間に位置する。すなわち、係合ピン５７は２つの突起に挟まれているため、パネル１の振動によるロックピン５５の脱落は無い。そして、圧縮コイルスプリング５６の付勢力が作用するために、スリーブ５４の頭部５４ｂと係合ピン５７とは、それぞれパネル１の凹部１ｅと受部６２とに係合する。すなわち、圧縮コイルスプリング５６の付勢力により、パネル１と受金具６０とは、互いに近接させる方向に力が働き、両者は連結される。
【０００８】
図１３（ｃ）に示す解除状態では、ロックピン５５を押し込んで回転させる。このとき、係合ピン５７は長円孔６２ａをくぐって受部６２との係合が解除される。その結果、ロックピン５５の頭部５５ａはパネル１の上面およびスリーブ５４から露出するため、ロックピン５５の頭部５５ａを手で持って、パネル固定金具５３の全体をパネル１から引き抜くことができる。
【発明の開示】
【発明が解決しようとする課題】
【０００９】
上述した従来のパネル固定金具においては、ロックピン５５および圧縮コイルスプリング５６を収容するためのスリーブ５４を必須としている。スリーブ５４は、パネル固定時に、主要機械部品である圧縮コイルスプリング５６を外部に露出させることがなく、圧縮コイルスプリングが外部に露出することにより起こる損傷等の不測の事態を防止できるという利点がある。このスリーブ５４は、略円筒状をなし、圧縮コイルスプリング５６を受けるための段部５４ｓとパネル１の皿もみ状の凹部１ｅに係合する鍔状の頭部５４ｂとを有している。スリーブ５４が単純な円筒形状であれば、加工が簡単で加工コストは安価であるが、上述したように、スリーブ５４は、圧縮コイルスプリング用の段部５４ｓとパネル係合用の頭部５４ｂとを有しているため、加工コストが高く、パネル固定金具全体の製品コストを上昇させるという問題点がある。
【００１０】
本発明は、上述の事情に鑑みなされたもので、圧縮コイルスプリングを収容するスリーブを省略して部品点数を削減することができ、製品コストを飛躍的に低減することができるパネル固定金具を提供することを目的とする。
【課題を解決するための手段】
【００１１】
上述した目的を達成するため、本発明は、パネルを基礎上の梁等の固定部に取り付けられた受金具に着脱可能に固定するパネル固定金具において、上部に頭部を有する軸状のロックピンと、前記ロックピンの上部に装着された圧縮コイルスプリングと、前記ロックピンの下部に設けられ、ロックピンの外周面より外方に突出する係合ピンとからなり、前記パネル固定金具の装着時には、前記パネルに形成された収容孔に前記ロックピンを押し込んだ後に所定角度回転させることにより、前記圧縮コイルスプリングの下端を前記収容孔の底部壁部に係合させて該圧縮コイルスプリングにより前記ロックピンの頭部が前記底部壁部から離間する方向にロックピンを付勢させるようにし、前記係合ピンが前記受金具の受部に形成された孔部を通過した後に受金具の下面に形成された突起を乗り越え、前記係合ピンが前記圧縮コイルスプリングの付勢力により前記受部に係合するとともに、前記ロックピンの頭部は前記パネルの収容孔内に収容され、前記パネル固定金具の解除時には、前記ロックピンを押し込んだ後に所定角度回転させることにより、前記係合ピンが前記受金具の受部に形成された突起を乗り越えた後に、前記圧縮コイルスプリングによる付勢力により前記孔部を通過して係合ピンと受部との係合が解除されるとともに、前記ロックピンの頭部は前記パネルの上面に突出することを特徴とする。
【００１２】
本発明の好ましい態様は、前記圧縮コイルスプリングの上端部は、前記ロックピンの上部に固定されていることを特徴とする。
本発明の好ましい態様は、前記ロックピンの頭部にはドライバが挿入されるすり割りが形成されていることを特徴とする。
【００１３】
本発明の好ましい態様は、前記ロックピンの上部に孔を形成し、前記圧縮コイルスプリングの上端部を半径方向の内方に折り曲げ、この折り曲げた先端部を前記ロックピンの孔に挿入することにより、前記圧縮コイルスプリングの上端部は、前記ロックピンの上部に固定されていることを特徴とする。
本発明の好ましい態様は、前記ロックピンの上部に環状溝を形成し、前記圧縮コイルスプリングの上端部を半径方向の内方に縮径して縮径部を形成し、この縮径部を前記ロックピンの環状溝に嵌合することにより、前記圧縮コイルスプリングの上端部は、前記ロックピンの上部に固定されていることを特徴とする。
【発明の効果】
【００１４】
本発明によれば、従来、ロックピンおよび圧縮コイルスプリングを収容するために用いていたスリーブを省略することができるため、パネル固定金具の製品コストを低減できる。従来、必須であったスリーブは、部品の中で最も複雑な形状で最も加工コストが高い部品であったため、スリーブを用いなくて済む本発明のパネル固定金具は極めて市場優位性の高い製品となる。
また本発明によれば、スリーブを省略しても、パネル固定時に、主要機械部品である圧縮コイルスプリングをパネルの収容孔に収容できるため、圧縮コイルスプリングを外部に露出させることがなく、圧縮コイルスプリングの損傷等の不測の事態を防止できるという利点がある。
【００１５】
さらに本発明によれば、パネル固定金具をパネルに装着した時には、圧縮コイルスプリングがパネル固定金具とパネルの収容孔の底部壁面の間に介在するために、圧縮コイルスプリングの付勢力によってパネルは直接に下方に押圧されるため、パネルは安定して受金具に固定される。従来のパネル固定金具にあっては、パネルを圧縮コイルスプリングの付勢力によって下方に押圧できないタイプのものもあるが、上述したように、本発明によれば、圧縮コイルスプリングがパネルを受金具に向かって押圧するため、地震等による振動等が加わってもパネルは安定して受金具に固定される。
【発明を実施するための最良の形態】
【００１６】
以下、本発明に係るパネル固定金具の実施の形態を図面を参照として説明する。図１乃至図６は、本発明のパネル固定金具の実施形態を示す図である。図１は組立式の床の一部を示す平面図であり、図１０に対応する図である。図２は図１のＣ−Ｃ線断面図である。図１に示すように、相隣接する４枚のパネル１の各隅部１ｃは、１個の受金具１０（破線で示す）に固定されている。図２に示すように、受金具１０は梁を形成する角パイプ２に固定されている。そして、各パネル１の隅部１ｃはパネル固定金具３によって受金具１０に固定されている。
【００１７】
図３はパネル固定金具３の詳細を示す図であり、図３（ａ）はパネル固定金具３の正面図、図３（ｂ）は図３（ａ）のＤ矢視図、図３（ｃ）は図３（ａ）のＥ矢視図である。図３（ａ）および図３（ｂ）に示すように、パネル固定金具３は、頭部４ａと軸部４ｂとからなるロックピン４と、ロックピン４の上部に装着された圧縮コイルスプリング５と、ロックピン４の下部に設けられロックピン４の外周面より左右に外方に突出する係合ピン６とから構成されている。ロックピン４の軸部４ｂは、上部側の大径部４ｂ１と下部側の小径部４ｂ２とからなり、頭部４ａは大径部４ｂ１より大きな直径を有している。そして、ロックピン４の頭部４ａには、すり割り４ｓが形成されている。係合ピン６はロックピン４の下端部にねじ込まれることにより固定されており、係合ピン６の下端部６ａは略半球状の曲面になっている。
【００１８】
また圧縮コイルスプリング５の上端部５ａは、半径方向の内方に略９０°折り曲げられ、この折り曲げられた先端部が軸部４ｂの上端に形成された孔４ｈに挿入されている。これにより、圧縮コイルスプリング５はロックピン４に固定されている。本発明においては、ロックピン４、圧縮コイルスプリング５、係合ピン６は、いずれも鉄鋼等の金属から構成されている。
【００１９】
図４は受金具１０の詳細を示す図であり、図４（ａ）は受金具１０の平面図、図４（ｂ）は図４（ａ）のＧ矢視図、図４（ｃ）は図４（ａ）のＨ−Ｈ線断面図である。図４（ａ）および図４（ｂ）に示すように、受金具１０は概略八角形の平板状の基部１１と、この基部１１から上方に隆起した４個の受部１２とを備えている。各受部１２には、係合ピン７ａ，７ａが挿入される鍵穴状の長円孔１２ａが形成されている。また各受部１２には、図４（ａ）および図４（ｃ）に示すように、受部１２の下面に、長円孔１２ａに隣接して下方に突出する４個の突起１３ａ，１３ｂが形成されている。受金具１０は、鋼板をプレス成形したものであり、受部１２、孔１２ａおよび突起１３ａ，１３ｂの形成はいずれもプレス成形によって行われている。また、受金具１０の上面には緩衝用のゴム１４が貼りつけられている。
【００２０】
図５は、上述のように構成されたパネル固定金具３と受金具１０の作動過程を示す図であり、図５（ａ）はパネル固定金具の仮取付状態図であり、図５（ｂ）はパネル固定金具の取付状態図であり、図５（ｃ）はパネル固定金具の解除状態図である。
【００２１】
図５（ａ）乃至図５（ｃ）に示すように、本発明においては、各パネル１の隅部１ｃには、ロックピン４の大径部４ｂ１の上部および圧縮コイルスプリング５を収容する円形の収容孔１ａと、収容孔１ａより小径の挿通孔１ｂとが形成されている。図５（ａ）に示す仮取付状態では、圧縮コイルスプリング５および係合ピン６を装着したロックピン４がパネル１の収容孔１ａおよび挿通孔１ｂ内に挿入される。このとき、ロックピン４の頭部４ａはパネル１の収容孔１ａから露出している。
【００２２】
図５（ｂ）に示す取付状態では、ロックピン４を下方に押し込み、係合ピン６を受部１２の長円孔１２ａをくぐらせてから、ロックピン４を所定角度（たとえば、４５°）右（又は左）へ回転させる。このとき、係合ピン６は一方の突起１３ｂを乗り越え、突起１３ａで止まる。これにより、係合ピン６は、受部１２の突起１３ａ，１３ｂ間に位置する。すなわち、係合ピン６は突起１３ａ，１３ｂに挟まれているため、パネル１の振動によるロックピン４の脱落は無い。そして、圧縮コイルスプリング５の下端部はパネル１の収容孔１ａの底部壁部１ｗに係合し、圧縮コイルスプリング５によりロックピン４の頭部４ａが底部壁部１ｗから離間する方向にロックピン４が付勢される。このように圧縮コイルスプリング５の付勢力が作用するために、係合ピン６は、受部１２にしっかりと係合する。すなわち、圧縮コイルスプリング５の付勢力により、パネル１と受金具１０とは、互いに近接させる方向に力が働き、両者はしっかりと連結される。ロックピン４の押し込み及び回転は、市販のドライバをロックピン４の頭部４ａにあるすり割り４ｓに挿入することにより容易に行うことができる。なお、すり割り４ｓの方向と係合ピン６の方向は同一方向に設定されているため、すり割り４ｓの方向を確認することにより係合ピン６の方向を確認することができる。
【００２３】
図５（ｃ）に示す解除状態では、市販のドライバをすり割り４ｓに挿入してロックピン４を所定角度（たとえば、４５°）左（又は右）へ回転させる。このとき、係合ピン６は一方の突起１３ｂを乗り越え、突起１３ａで止まるため、係合ピン６は長円孔１２ａをくぐって受部１２との係合が解除される。その結果、ロックピン４の頭部４ａはパネル１の上面から露出するため、ロックピン４の頭部４ａを手で持って、パネル固定金具３の全体をパネル１から引き抜くことができる。
【００２４】
図６は本発明のパネル固定金具の別の実施形態を示す図であり、図６（ａ）はパネル固定金具の正面図であり、図６（ｂ）は図６（ａ）のＪ−Ｊ線断面図である。
【００２５】
図３に示すパネル固定金具３においては、ロックピン４の軸部４ｂの上端に孔４ｈを形成し、圧縮コイルスプリング５の上端部５ａを半径方向の内方に折り曲げ、この折り曲げた先端部を孔４ｈに挿入することにより、圧縮コイルスプリング５をロックピン４に固定している。
図６に示すパネル固定金具３においては、ロックピン４の軸部４ｂの上端に環状溝４ｇを形成し、圧縮コイルスプリング５の上端部に半径方向の内方に縮径させた縮径部５ｓを形成し、この縮径部５ｓを環状溝４ｇに嵌合させることにより、圧縮コイルスプリング５をロックピン４に固定している。縮径部５ｓは、ロックピン４の軸部４ｂよりも小径に設定されていて、環状溝４ｇに確実に嵌合されて、圧縮コイルスプリング５がロックピン４に固定される。なお、圧縮コイルスプリング５をロックピン４に装着する際には、縮径部５ｓを半径方向の外方に拡げ、ロックピン４の軸部４ｂの下端に装着した後に圧縮コイルスプリング５を軸部４ｂに沿って押し上げ、縮径部５ｓを環状溝４ｇに嵌め込めばよい。圧縮コイルスプリング５をロックピン４から取り外す際には、環状溝４ｇに嵌め込まれた縮径部５ｓを半径方向の外方に拡げて圧縮コイルスプリング５を軸部４ｂに沿って押し下げればよい。
【００２６】
以上説明したように、図６に示すパネル固定金具によれば、圧縮コイルスプリング５のロックピン４への装着および圧縮コイルスプリング５のロックピン４からの取り外しを簡単に行うことができる。
なお、図６に示すパネル固定金具３において、ロックピン４の軸部４ｂの上端および圧縮コイルスプリング５の上端部以外の構造は、図３に示すパネル固定金具と同様である。
【００２７】
図１乃至図６に示す実施形態においては、ロックピン４と係合ピン６とを別部材で構成したが、ロックピン４と係合ピン６とを１個の部材で構成してもよい。
【００２８】
図７および図８に、受金具の変形例を示す。図７は、受金具１０の受部１２に形成される突起の他の例を示している。図７に示す例においては、受部１２の突起１３ａ，１３ｂは、下方への曲げにより形成されている。図８は、受金具１０の全体の変形例を示し、図８（ａ）は受金具１０の受部１２を基部１１から隆起させることなく平板状にした例であり、図８（ｂ）は図８（ａ）に示す平板状の受金具１０にカバー２０を付加したものである。
【００２９】
これまで本発明について、図１乃至図８に示す実施形態を説明したが、本発明は上述の実施形態に限定されず、その技術的思想の範囲内において種々異なる形態にて実施されてよいことは言うまでもない。
【図面の簡単な説明】
【００３０】
【図１】本発明に係るパネル固定金具の実施形態を示す平面図である。
【図２】図１のＣ−Ｃ線断面図である。
【図３】パネル固定金具の詳細を示す図である。
【図４】受金具の詳細を示す図である。
【図５】パネル固定金具の作動過程を示す図である。
【図６】パネル固定金具の別の実施形態を示す図である。
【図７】受金具の変形例を示す図である。
【図８】受金具の変形例を示す図である。
【図９】組立式の床の一例を示す斜視図である。
【図１０】図９のＡ部詳細を示す平面図である。
【図１１】図１０のＢ−Ｂ線断面図である。
【図１２】パネル固定金具の詳細を示す図である。
【図１３】パネル固定金具の作動過程を示す図である。
【符号の説明】
【００３１】
１  パネル
１ａ  収容孔
１ｂ  挿通孔
１ｃ  隅部
１ｗ  底部壁部
２  角パイプ
３  パネル固定金具
４  ロックピン
４ａ  頭部
４ｂ  軸部
４ｂ１  大径部
４ｂ２  小径部
４ｓ  すり割り
４ｈ  孔
４ｇ  環状溝
５  圧縮コイルスプリング
５ａ  上端部
５ｓ  縮径部
６  係合ピン
１０  受金具
１１  基部
１２  受部
１２ａ  長円孔
１３ａ，１３ｂ  突起
１４  ゴム
【図１】
2008255768.tif 000003
【図２】
2008255768.tif 000004
【図３】
2008255768.tif 000005
【図４】
2008255768.tif 000006
【図５】
2008255768.tif 000007
【図６】
2008255768.tif 000008
【図７】
2008255768.tif 000009
【図８】
2008255768.tif 000010
【図９】
2008255768.tif 000011
【図１０】
2008255768.tif 000012
【図１１】
2008255768.tif 000013
【図１２】
2008255768.tif 000014
【図１３】
2008255768.tif 000015